(57)【特許請求の範囲】
【請求項１】
無線通信システムのうちの少なくとも１つの専用チャネルを復調することに関する少なくとも１つの専用チャネル周波数追跡ループを維持することと、前記チャネルは、ユーザ装置（ＵＥ）専用である、
前記無線通信システムの共有チャネルを復調することに関する少なくとも１つの共有チャネル周波数追跡ループを維持すること、ここで前記少なくとも１つの共有チャネル周波数追跡ループは、前記少なくとも１つの専用チャネル周波数追跡ループから分離している、
を具備する周波数オフセットを低減するための無線通信方法。
【請求項２】
信号対雑音比（ＳＮＲ）に依存するループ帯域幅を用いて前記共有チャネル周波数追跡ループ及び／又は前記専用チャネル周波数追跡ループをフィルタすること、を更に具備する請求項１の方法。
【請求項３】
前記専用チャネル周波数追跡ループは、タイムスロットゼロ（ＴＳ０）以外の少なくとも１つのダウンリンクタイムスロット（ＴＳ）のミッドアンブルフィールドを使用する、請求項１の方法。
【請求項４】
前記共有チャネル周波数追跡ループは、タイムスロットゼロ（ＴＳ０）のミッドアンブルフィールドを使用する、請求項１の方法。
【請求項５】
前記専用チャネル周波数追跡ループは、タイムスロットゼロ（ＴＳ０）以外の少なくとも１つのダウンリンクタイムスロット（ＴＳ）のうちのミッドアンブルフィールドに先行する及び／又は後続するデータフィールド上のポストイコライゼーション信号を、使用する、請求項１の方法。
【請求項６】
前記共有チャネル周波数追跡ループは、タイムスロットゼロ（ＴＳ０）の後に送信されたダウンリンクパイロットタイムスロット（ＤｗＰＴＳ）を使用する、請求項１の方法。
【請求項７】
無線通信システムのうちの少なくとも１つの専用チャネルを復調することに関する、少なくとも１つの専用チャネル周波数追跡ループを維持するための手段と、前記チャネルは、ユーザ装置（ＵＥ）に専用である、
前記無線通信システムの共有チャネルを復調することに関する、少なくとも１つの第２の共有チャネル周波数追跡ループを維持するための手段と、ここで前記少なくとも１つの共有チャネル周波数追跡ループは、前記少なくとも１つの専用チャネル周波数追跡ループから分離している、
を具備する、周波数オフセットを低減させる無線通信に関する装置。
【請求項８】
信号対雑音比（ＳＮＲ）に依存するループ帯域幅を用いて前記共有チャネル周波数追跡ループ及び／又は前記専用チャネル周波数追跡ループをフィルタする手段、を更に具備する請求項７の装置。
【請求項９】
前記専用チャネル周波数追跡ループは、タイムスロットゼロ（ＴＳ０）以外の少なくとも１つのダウンリンクタイムスロット（ＴＳ）のミッドアンブルフィールドを使用する、請求項７の装置。
【請求項１０】
前記共有チャネル周波数追跡ループは、タイムスロットゼロ（ＴＳ０）のミッドアンブルフィールドを使用する、請求項７の装置。
【請求項１１】
無線ネットワークにおける無線通信に関するコンピュータプログラムであって、
少なくとも１つのコンピュータに、無線通信システムのうちの少なくとも１つの専用チャネルを復調することに関する少なくとも１つの専用チャネル周波数追跡ループを維持させるためのプログラムコードと、前記チャネルは、ユーザ装置（ＵＥ）専用である、
少なくとも１つのコンピュータに、前記無線通信システムの共有チャネルを復調することに関する少なくとも１つの第２の共有チャネル周波数追跡ループを維持させるためのプログラムコードと、ここで前記少なくとも１つの共有チャネル周波数追跡ループは、前記少なくとも１つの専用チャネル周波数追跡ループから分離している、
を具備するコンピュータプログラム。
【請求項１２】
前記少なくとも１つのコンピュータに、信号対雑音比（ＳＮＲ）に依存するループ帯域幅を用いて前記共有チャネル周波数追跡ループ及び／又は前記専用チャネル周波数追跡ループをフィルタさせるためのプログラムコードを、更に具備する請求項１１のコンピュータプログラム。
【請求項１３】
前記専用チャネル周波数追跡ループは、タイムスロットゼロ（ＴＳ０）以外の少なくとも１つのダウンリンクタイムスロット（ＴＳ）のミッドアンブルフィールドを使用する、請求項１１のコンピュータプログラム。
【請求項１４】
前記共有チャネル周波数追跡ループは、タイムスロットゼロ（ＴＳ０）のミッドアンブルフィールドを使用する、請求項１１のコンピュータプログラム。
【請求項１５】
メモリと、
前記メモリに結合された少なくとも１つのプロセッサと、を具備し、前記少なくとも１つのプロセッサは、
無線通信システムのうちの少なくとも１つの専用チャネルを復調することに関する少なくとも１つの専用チャネル周波数追跡ループを維持し、前記チャネルは、ユーザ装置（ＵＥ）専用である、
前記無線通信システムの共有チャネルを復調することに関する少なくとも１つの第２の共有チャネル周波数追跡ループを維持する、ここで前記少なくとも１つの共有チャネル周波数追跡ループは、前記少なくとも１つの専用チャネル周波数追跡ループから分離している、
ように構成される無線通信に関する装置。
【請求項１６】
前記少なくとも１つのプロセッサは、
信号対雑音比（ＳＮＲ）に依存するループ帯域幅を用いて前記共有チャネル周波数追跡ループ及び／又は前記専用チャネル周波数追跡ループをフィルタするように更に構成される、請求項１５の装置。
【請求項１７】
前記専用チャネル周波数追跡ループは、タイムスロットゼロ（ＴＳ０）以外の少なくとも１つのダウンリンクタイムスロット（ＴＳ）のミッドアンブルフィールドを使用する、請求項１５の装置。
【請求項１８】
前記共有チャネル周波数追跡ループは、タイムスロットゼロ（ＴＳ０）のミッドアンブルフィールドを使用する、請求項１５の装置。
【請求項１９】
前記専用チャネル周波数追跡ループは、タイムスロットゼロ（ＴＳ０）以外の少なくとも１つのダウンリンクタイムスロット（ＴＳ）のうちのミッドアンブルフィールドに先行する及び／又は後続するデータフィールド上のポストイコライゼーション信号を、使用する請求項１５の装置。
【請求項２０】
前記共有チャネル周波数追跡ループは、タイムスロットゼロ（ＴＳ０）の後に送信されたダウンリンクパイロットタイムスロット（ＤｗＰＴＳ）を使用する、請求項１５の装置。
【発明の詳細な説明】
【関連出願の相互参照】
【０００１】
[0001]この出願は、２０１２年９月２１日にFertonani等の名のもとに出願され、その全体中のこの参照によりその開示が明示的に組み込まれた、“ＴＤ−ＳＣＤＭＡ中の周波数追跡ループ（FREQUENCY TRACKING LOOPS IN TD-SCDMA）”と題された、米国仮特許出願番号６１／７０４、３１１に対する米国連邦法規集３５編第１１９条による利益を主張する。
【技術分野】
【０００２】
[0002]本開示の観点は、一般的に無線通信システムに関し、より具体的にはＴＤ−ＳＣＤＭＡ中の周波数追跡ループに関する。
【背景技術】
【０００３】
[0003]無線通信ネットワークは、電話通信、ビデオ、データ、メッセージ、放送などのような様々な通信サービスを提供するために広く展開される。通常、多元接続ネットワークである、このようなネットワークは、利用可能なネットワークリソースを共有することによってマルチプル（multiple）のユーザのための通信をサポートする。このようなネットワークの一例は、ユニバーサル地上無線接続ネットワーク（ＵＴＲＡＮ）である。ＵＴＲＡＮは、ユニバーサルモバイル電気通信システム（ＵＭＴＳ）の一部として定義された無線接続ネットワーク（ＲＡＮ）であって、第３世代パートナーシッププロジェクト（３ＧＰＰ）によってサポートされる第３世代（３Ｇ）モバイル電話技術である。ＵＭＴＳは、グローバル移動体通信システム（ＧＳＭ（登録商標））技術の後継者であり、広帯域符号分割多元接続（Ｗ−ＣＤＭＡ（登録商標））、時分割符号分割多元接続（ＴＤ−ＣＤＭＡ）および時分割同期符号分割多元接続（ＴＤ−ＳＣＤＭＡ）のような様々なエアインタフェース規格を現在サポートする。例えば、中国は、コア網として、その既存のＧＳＭインフラを備えたＵＴＲＡＮアーキテクチュアにおける根本的なエアインタフェースとしてＴＤ−ＳＣＤＭＡを追求している。ＵＭＴＳは、ハイスピードパケットアクセス（ＨＳＰＡ）のような強化された３Ｇデータ通信プロトコルをもサポートし、それは関連するＵＭＴＳネットワークに、より高いデータ転送速度及び容量を供給する。ＨＳＰＡは、２つのモバイルの電話通信プロトコル、ハイスピードダウンリンクパケットアクセス（ＨＳＤＰＡ）及びハイスピードアップリンクパケットアクセス（ＨＳＵＰＡ）の集まりであり、既存の広帯域プロトコルの性能を拡張し、改善する。
【０００４】
[0004]モバイルのブロードバンドアクセスに関する需要が増加し続けるとともに、研究開発は、モバイルのブロードバンドアクセスに関して成長している需要を満たすだけでなく、モバイル通信を備えたユーザ経験を強化させるためにＵＭＴＳ技術を進歩させ続ける。
【発明の概要】
【０００５】
[0005]ワイヤレス通信の方法が提案される。方法は、無線通信システムの少なくとも１つの専用チャネルを復調することに関する少なくとも１つの専用チャネル周波数追跡ループを維持することを含み、チャネルは、ユーザ設備（ＵＥ）専用である。方法は、さらに無線通信システムの共有チャネルを復調することに関する、少なくとも１つの共有チャネル周波数追跡ループを維持することをも含んでいる。
【０００６】
[0006]ワイヤレス通信に関する装置が提案される。装置は、無線通信システムのうちの少なくとも１つの専用チャネルを復調することに関する少なくとも１つの専用チャネル周波数追跡ループを維持する手段を含み、チャネルは、ユーザ設備（ＵＥ）専用である。装置は、無線通信システムの共有チャネルを復調することに関して、少なくとも１つの第２の共有チャネル周波数追跡ループを維持する手段をも含む。
【０００７】
[0007]無線通信ネットワーク中の動作に関して構成された、コンピュータプログラム製品が提案される。コンピュータプログラム製品は、そこに記録された非一時的なプログラムコードを有する、非一時的なコンピュータ読取可能な媒体を含む。プログラムコードは、無線通信システムのうちの少なくとも１つの専用チャネルを復調することに関して、少なくとも１つの専用チャネル周波数追跡ループを維持するためのプログラムコードを含み、チャネルは、ユーザ装置（ＵＥ）専用である。プログラムコードは、無線通信システムの共有チャネルを復調することに関して、少なくとも１つの第２の共有チャネル周波数追跡ループを維持するためのプログラムコードをも含む。
【０００８】
[0008]無線通信ネットワーク中の複数の無線ユーザ装置（ＵＥ）の動作に関して構成された装置が、提案される。装置は、メモリ及びメモリに結合されたプロセッサを含む。プロセッサは、無線通信システムのうちの少なくとも１つの専用チャネルを復調することに関して、少なくとも１つの専用チャネル周波数追跡ループを維持するように構成され、チャネルは、ユーザ装置（ＵＥ）に専用である。プロセッサは、無線通信システムの共有チャネルを復調することに関して、少なくとも１つの第２の共有チャネル周波数追跡ループをも維持するよう構成される。
【０００９】
[0009]これは、以下の詳細な説明がより良く理解され得るように、本開示の特徴および技術的利点を、どちらかといえば幅広く概説している。本開示の追加的な特徴および利点が以下に説明されることになる。この開示が、本開示の同じ目的を実行するための他の構造を改良または設計するための基礎として容易に利用され得ることは、当業者によって理解されるべきである。また、そのような等価の構成が、添付された特許請求の範囲に記載の本開示の教示から逸脱しないことも、当業者によって認識されるべきである。さらなる目的および利点とともに、本開示の構成および動作の方法の両方について、本開示の特徴であると考えられる新規な特徴は、添付図面と関連して考慮される場合、以下の説明からより良く理解されるであろう。しかしながら、図面の各々は例示および説明のためだけに提供されており、本開示の限定の定義として意図されていないということは明確に理解されるべきである。
【図面の簡単な説明】
【００１０】
[0010]
【図１】図１は、テレコミュニケーションシステムの一例を概念的に図示するブロック図である。
【００１１】
[0011]
【図２】図２は、テレコミュニケーションシステム中のフレーム構造の一例を概念的に図示するブロック図である。
【００１２】
[0012]
【図３】図３は、テレコミュニケーションシステム中のＵＥと通信するノードＢの一例を概念的に図示するブロック図である。
【００１３】
[0013]
【図４】図４は、本開示の一観点に従って、周波数追跡ループを履行するための装置を例示するブロック図である。
【００１４】
[0014]
【図５】図５は、本開示の一観点に従って、プロセッシングシステムを採用する装置に関するハードウェア履行の一例を示す図である。
【発明の詳細な説明】
【００１５】
[0015]添付図面に関連して以下に記載される詳細な説明は、様々な構成の説明として意図され、ここに説明される概念が実施されうる唯一の構成を表すようには意図されない。詳細な説明は、さまざまな概念の完全な理解を提供する目的で、具体的な詳細を含む。しかしながら、これらの概念がこれらの特定の詳細なしに実施され得ることは、当業者に明らかであるだろう。いくつかの例では、そのような概念をあいまいにすることを避けるために、周知の構造およびコンポーネントが、ブロック図の形態で示される。ここで説明される場合、「および／または」という用語の使用は、「包括的な『または』」を表すように意図しているものであり、「または」という用語の使用は、「排他的な『または』」を表すように意図しているものである。
【００１６】
[0016]では次に図１に話を移してみよう。ブロック図は、テレコミュニケーションシステム１００の一例の図示することを示される。本開示全体を通して提示される様々な概念は、幅広く様々なテレコミュニケーションシステム、ネットワークアーキテクチャ、および通信規格にわたって履行され得る。例として、また限定なしで、図１に示される本開示の一観点は、ＴＤ−ＳＣＤＭＡ規格を採用するＵＭＴＳシステムに関して示される。この例では、ＵＭＴＳシステムは、電話による通信、ビデオ、データ、メッセージ、ブロードキャスト、及び／又はその他サービスを含む様々な無線サービスを提供する、（無線接続ネットワーク）ＲＡＮ１０２（例えば、ＵＴＲＡＮ）を含む。ＲＡＮ１０２は、ＲＮＣ１０７のような多くの無線ネットワークサブシステム（ＲＮＳ）に分割され得、各々が、ＲＮＣ１０６のような無線ネットワークコントローラ（ＲＮＣ）によって制御される。明瞭にするために、ＲＮＣ１０６及びＲＮＣ１０７だけが示されるが、しかしながら、ＲＡＮ１０２は、ＲＮＣ１０６及びＲＮＳ１０７に加えて、ＲＮＣとＲＮＳのいくらでも含み得る。ＲＮＣ１０６は、とりわけ、ＲＮＳ１０７内で無線リソースを割り当て、再構成し、解放することを担当する装置である。ＲＮＣ１０６は、任意の適切なトランスポートネットワークを使用して、直接物理接続、仮想ネットワーク、またはそれと同様な、様々なタイプのインタフェースを通してＲＡＮ１０２中の他のＲＮＣ（図示せず）と相互接続され得る。
【００１７】
[0017]ＲＮＳ１０７によってカバーされる地理的領域は、各セルをサービスし得る無線送受信装置を備えた、いくつかのセルに分割され得る。無線送受信装置は、ＵＭＴＳアプリケーションでは一般にノードＢと呼ばれるが、当業者によって、基地局（ＢＳ）、送受信基地局（ＢＴＳ：base transceiver station）、無線基地局、無線送受信機、送受信機能、基本サービスセット（ＢＳＳ：basic service set）、拡張サービスセット（ＥＳＳ：extended service set）、アクセスポイント（ＡＰ）、または何らかの他の適切な用語でも呼ばれ得る。明瞭にするために、２つのノードＢ１０８が示されるが、ＲＮＳ１０７は、無線ノードＢをいくらでも含み得る。ノードＢは、いくつものモバイルの装置に関して、コアネットワーク１０４に無線アクセスポイントを供給する。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（例えば、ＭＰ３プレーヤ）、カメラ、ゲーム機、または任意の他の同様の機能デバイスがある。モバイル装置は、ＵＭＴＳアプリケーションでは一般にユーザ装置（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれ得る。例証目的のため、３つのＵＥ１１０がノードＢ１０８との通信で示される。フォワードリンクとも呼ばれる、ダウンリンク（ＤＬ）は、ノードＢからＵＥまでの通信リンクを参照し、及び逆のリンクとも呼ばれる、アップリンク（ＵＬ）は、ＵＥからノードＢまでの通信リンクを参照する。
【００１８】
[0018]示されるように、コアネットワーク１０４は、ＧＳＭコアネットワークを含む。しかしながら、当業者なら認識するように、本開示全体にわたって提示された様々な概念は、ＧＳＭネットワーク以外のタイプのコアネットワークへのアクセスをＵＥに提供するために、ＲＡＮ、または他の適切アクセスネットワーク中で履行され得る。
【００１９】
[0019]この例において、コアネットワーク１０４は、移動通信交換局（ＭＳＣ）１１２およびゲートウェイＭＳＣ（ＧＭＳＣ）１１４を備えた回路交換局をサポートする。ＲＮＣ１０６等の１つまたは複数のＲＮＣは、ＭＳＣ１１２に接続され得る。ＭＳＣ１１２は、呼設定、呼ルーティング、およびＵＥモビリティ機能を制御する装置である。ＭＳＣ１１２は、ＵＥがＭＳＣ１１２のカバレッジ領域中にいる期間に関する、加入者に関連する情報を含むビジターロケーションレジスタ（ＶＬＲ）（図示せず）をも含む。ＧＭＳＣ１１４は、ＵＥが回線交換ネットワーク１１６にアクセスするために、ＭＳＣ１１２を介してゲートウェイを提供する。ＧＭＳＣ１１４は、特定のユーザが加入したサービスの詳細を反映するデータのような、加入者データを含んでいるホームロケーションレジスタ（ＨＬＲ：home location register）２１５を含む。また、ＨＬＲは、加入者固有の認証データを含んでいる認証センター（ＡｕＣ：authentication center）にも関連付けられる。特定のＵＥのための呼が受信されると、ＧＭＳＣ１１４は、ＨＬＲに問い合わせてＵＥのロケーションを判断し、そのロケーションをサービスする特定のＭＳＣに呼を転送する。
【００２０】
[0020]コアネットワーク１０４は、サービスＧＰＲＳサポートノード（ＳＧＳＮ）１１８およびゲートウェイＧＰＲＳサポートノード（ＧＧＳＮ）１２０を備えたパケットデータサービスをもサポートする。ＧＰＲＳは、汎用パケット無線システムを示し、それらの利用可能なものより高い速度でのパケットデータサービスに、標準のＧＳＭの回路交換データ局を提供するよう設計されている。ＧＧＳＮ１２０は、パケットベースネットワーク１２２へのＲＡＮ１０２のための接続を提供する。パケットベースネットワーク１２２は、インターネット、プライベートデータネットワーク、または何らかの他の適切なパケットベースネットワークであり得る。ＧＧＳＮ１２０の主要機能は、ＵＥ１１０にパケットベースネットワーク接続性を提供することである。
【００２１】
データパケットは、主に、ＭＳＣ１１２が回線交換ドメインで実行するのと同じ機能をパケットベースドメインで実行する、ＳＧＳＮ１１８を通してＧＧＳＮ１２０とＵＥ１１０との間で転送され得る。
【００２２】
[0021]ＵＭＴＳエアインタフェースは、スペクトラム拡散直接シーケンス符号分割多元接続（ＤＳ−ＣＤＭＡ）システムである。スペクトラム拡散ＤＳ−ＣＤＭＡは、チップと呼ばれる擬似乱数的なビットのシーケンスによる乗算を通じてはるかに広い帯域幅にわたって利用者データを広げる。ＴＤ−ＳＣＤＭＡ規格は、そのような直接シーケンス拡散スペクトラム技術に基づいており、更にむしろ複数のＦＤＤモードのＵＭＴＳ／ＷＣＤＭＡ（登録商標）システムで使用されるような周波数分割複信（ＦＤＤ）よりも時分割複信（ＴＤＤ）と呼ばれる。ＴＤＤは、ノードＢ１０８とＵＥ１１０との間のダウンリンク（ＤＬ）及びアップリンク（ＵＰ）に両者間で同一の搬送周波数を使用するが、アップリンク及びダウンリンク送信を、搬送波中の異なるタイムスロットに分割する。
【００２３】
[0022]図２は、ＴＤ−ＳＣＤＭＡ搬送波に関するフレーム構造２００を示す。例証されるように、ＴＤ−ＳＣＤＭＡ搬送波は、１０ｍｓの長さであるフレーム２０２を有する。ＴＤ−ＳＣＤＭＡのチップレートは、１．２８Ｍｃｐｓである。フレーム２０２は、２つの５ｍｓサブフレーム２０４を有し、サブフレーム２０４の各々は、ＴＳ０からＴＳ６を通じて７つのタイムスロットを含む。第１タイムスロット、ＴＳ０、は通常ダウンリンク通信のために割り付けられるが、その一方で第２タイムスロット、ＴＳ１、は通常アップリンク通信のために割り付けられる。残りのタイムスロット、ＴＳ２からＴＳ６は、アップリンク又はダウンリンクのいずれのために使用され得、アップリンク又はダウンリンク方向のいずれかにおいて、より速いデータ送信期間の時に（during times of higher data transmission times）より大きな柔軟性を可能にする。ダウンリンクパイロットタイムスロット（ＤｗＰＴＳ）２０６、ガード期間（ＧＰ）２０８、および（アップリンクパイロットチャネル（ＵｐＰＣＨ）としても知られている）アップリンクパイロットタイムスロット（ＵｐＰＴＳ）２１０は、ＴＳ０とＴＳ１の間に位置する。各々のタイムスロット、ＴＳ０−ＴＳ６は、最大１６コードチャネルでのデータ多重送信を可能にし得る。コードチャネル上のデータ伝送は、（１４４チップの長さを有する）ミッドアンブル２１４によって分離され、（１６チップの長さを有する）ガード期間（ＧＰ）２１６が後続する（各々が３５２チップの長さを有する)２つのデータ部分２１２を含む。ミッドアンブル２１４は、ガード期間２１６が内部間の爆発干渉（inter-burst interference）を回避するために使用され得る一方、チャネル推定のような、機能のために使用され得る。同期シフト（ＳＳ）ビット２１８を含む、いくつかのレイヤー１制御情報が、データ部分中でも送信される。同期シフトビット２１８は、データ部分の第２の部分の中にだけ現れる。同期シフトビット２１８は、ミッドアンブルの直ぐ後に、アップロード送信タイミングで、シフト（位相）の減少、シフトの増加、又は何もしない、の３つのケースを示し得る。ＳＳビット２１８の位置は、一般的にアップリンク通信中に使用されない。
【００２４】
[0023]図３は、ＲＡＮ３００中のＵＥ３５０との通信しているノードＢ３１０のブロック図であり、ここにおいてＲＡＮ３００は、図１中のＲＡＮ１０２になり得、ノードＢ３１０は、図１中のノードＢ１０８になり得、またＵＥ３５０は、図１中のＵＥ１１０になり得る。ダウンリンク通信では、送信プロセッサ３２０が、データソース３１２からのデータと、コントローラ／プロセッサ３４０からの制御信号とを受信し得る。送信プロセッサ３２０は、基準信号（例えば、パイロット信号）並びに、データおよび制御信号に関する様々な信号処理機能を提供する。例えば、送信プロセッサ３２０は、誤り検出、前方誤り訂正（ＦＦＣ）を促進するための符号化及びインタリーブ、様々な変調スキーム（例えば、二位相偏移変調（ＢＰＳＫ）、四位相偏移変調（ＱＰＳＫ）、Ｍ位相偏移変調（Ｍ−ＰＳＫ）、Ｍ直交振幅変調（Ｍ−ＱＡＭ））に基づいた信号の位置（constellations）マッピング、直交可変拡散率（ＯＶＳＦ）を用いた拡散、及び一連のシンボルを生成するためのスクランブルコードを用いた乗算（multiplying with scrambling codes）、のために巡回冗長検査（ＣＲＣ）コードを提供し得る。送信プロセッサ３２０のための、符号化、変調、拡散、および／またはスクランブリングスキームを決定するために、チャネルプロセッサ３４４からのチャネル推定が、コントローラ/プロセッサ３４０によって使用され得る。これらのチャネル推定は、ＵＥ３５０によって送信された基準信号、あるいはＵＥ３５０からミッドアンブル２１４（図２）に含まれていたフィードバックに由来し得る。送信プロセッサ３２０によって生成されたシンボルは、フレーム構造を作り出すために、送信フレームプロセッサ３３０へ提供される。送信フレームプロセッサ３３０は、コントローラ／プロセッサ３４０からミッドアンブル２１４（図２）を備えたシンボルを多重化することにより、このフレーム構造を作り、結果として一連のフレームをもたらす。この複数のフレームは、次に、スマートアンテナ３３４を通じてワイヤレス媒体上のダウンリンク送信のためのキャリア上へのフレームの変調、増幅及びフィルタリングを含む、様々な信号調整機能を提供する送信機３３２へ提供される。スマートアンテナ３３４は、ビームステアリング双方向適応アンテナアレイあるいは他の同様のビーム技術で履行され得る。
【００２５】
[0024]ＵＥ３５０では、受信機３５４はアンテナ３５２を通じてダウンリンク送信を受信し、搬送波上の変調された情報を再生するために送信を処理する。受信機３５４によって再生された情報は、各フレームを解析する、受理フレームプロセッサ３６０に提供され、チャネルプロセッサ３９４にミッドアンブル２１４（図２）を、及び受信プロセッサ３７０に基準信号、制御、及びデータを、提供する。受信プロセッサ３７０は次に、ノードＢ３１０中の送信プロセッサ３２０によって実施された処理の逆を実行する。より具体的には、受信プロセッサ370は、シンボルを逆スクランブルおよび逆拡散し、そして変調スキームに基づいて、ノードＢ３１０によって送信された、最も可能性の高い信号の位置を決定する。これらの軟判定は、チャネルプロセッサ３９４によって計算されたチャネル推定値に基づき得る。そして軟判定は、データ、制御、および基準信号を再生するために復号され、ディインタリーブされる。そして、ＣＲＣコードは、フレームが成功裡に復号されたかどうか判断するために、確認される。次に、成功裡に復号されたフレームによって搬送されるデータが、データシンク３７２に提供されることになり、ここにおいてＵＥ３５０および／または様々なユーザインタフェース（例えば、ディスプレイ）上で実行されているアプリケーションを示す。成功裡に復号されたフレームによって搬送される制御信号は、コントローラ／プロセッサ３９０へ提供されることになる。受信機プロセッサ３７０によるフレームの復号が失敗すると、コントローラ／プロセッサ３９０は、それらのフレームの再送要求をサポートするために、肯定応答（ＡＣＫ）および／または否定応答（ＮＡＣＫ）プロトコルをも使用し得る。
【００２６】
[0025]アップリンクでは、コントローラ／プロセッサ３９０からの制御信号およびデータソース３７８からのデータは、送信プロセッサ３８０へ提供される。データソース３７８は、ＵＥ３５０で実行しているアプリケーションおよび様々なユーザインタフェース（例えば、キーボード）を表し得る。ノードＢ３１０によるダウンリンク送信に関連して説明された機能と同様に、送信プロセッサ３８０は、ＣＲＣコード、ＦＥＣを容易にするための符号化およびインタリーブ、信号の位置へのマッピング、ＯＣＳＦを用いた拡散、及び一連のシンボルを生成するためのスクランブリングを含む、様々な信号処理機能を提供する。ノードＢ３１０により送信された基準信号から、またはノードＢ３１０により送信されたミッドアンブルに含まれるフィードバックから、チャネルプロセッサ３９４によって導出されたチャネル推定は、適切な符号化、変調、拡散、及び／又はスクランブリングスキームを選択するために使用され得る。送信プロセッサ３８０によって生成されたシンボルは、フレーム構造を作り出すために、送信フレームプロセッサ３８２へ提供されることになる。送信フレームプロセッサ３８２は、コントローラ／プロセッサ３９０からのミッドアンブル２１４（図２）を備えたシンボルを多重化することにより、このフレーム構造を作り、結果として一連のフレームをもたらす。この複数のフレームは、次に、アンテナ３５２を通じて無線媒体上のアップリンク送信のための搬送波上へのフレームの変調、増幅、及びフィルタリングを含む、様々な信号調整機能を提供する送信機３５６へ提供される。
【００２７】
[0026]アップリンク送信は、ＵＥ３５０における受信機機能に関して説明した方法と同様の方法でノードＢ３１０において処理される。受信機３３５は、アンテナ３３４を通じてアップリンク送信を受信し、その送信を処理し、搬送波上で変調された情報を再生する。受信機３３５によって再生された情報は、各フレームを解析する、受理フレームプロセッサ３３６に提供され、チャネルプロセッサ３４４にミッドアンブル２１４（図２）を、並びに受理プロセッサ３３８にデータ、制御および基準信号を、供給する。受信プロセッサ３３８は、ＵＥ３５０中の送信プロセッサ３８０によって実施された処理の逆を実行する。成功裡に復号されたフレームによって搬送されたデータおよび制御信号は、次に、データシンク３３９およびコントローラ／プロセッサへそれぞれ提供され得る。フレームのいくつかが受信機プロセッサによる復号が失敗すると、コントローラ／プロセッサ３４０はまた、それらのフレームの再送要求をサポートするために、肯定応答（ＡＣＫ）および／または否定応答（ＮＡＣＫ）プロトコルを使用し得る。
【００２８】
[0027]コントローラ／プロセッサ３４０および３９０は、それぞれノードＢ３１０およびＵＥ３５０における動作を指示するために使用され得る。例えば、コントローラ／プロセッサ３４０および３９０は、タイミング、周辺インタフェース、電圧調整、電力管理、および他の制御機能を含む、様々な機能を提供し得る。メモリ３４２および３９２のコンピュータ可読媒体は、それぞれ、ノードＢ３１０およびＵＥ３５０のためのデータおよびソフトウェアを記憶し得る。例えば、ＵＥ３５０のメモリ３９２は、コントローラ／プロセッサ３９０によって実行された時、周波数追跡ループを維持することに関してＵＥ３５０を構成する、周波数ループメンテナンスモジュール３９１を格納し得る。ノードＢ３１０におけるスケジューラ／プロセッサ３４６は、ＵＥにリソースを割り振り、ＵＥに関するダウンリンクおよび／またはアップリンク送信をスケジューリングするために使用され得る。
【００２９】
無線ネットワーク中の周波数追跡ループ
[0028]多くのＮｏｄｅＢの履行中において、異なるユーザ設備（ＵＥ）に割り付けられたコードは、同じダウンリンク（ＤＬ）スロットでさえ異なる周波数オフセットで送信される。本開示の一観点は、ＵＥが体験する、高いドップラ誘導周波数オフセットに向けられ、特に、ＮｏｄｅＢ側でそのオフセットを補うことに向けられる。そのようなアプリケーションの一例は、高速列車シナリオ中にある。
【００３０】
[0029]本開示の一観点において、２つの追跡ループが維持される。特に、１の専用チャンネル周波数追跡ループ（ＦＴＬ）および１の共通チャネル（例えば、ブロードキャストチャネル）ＦＴＬが、維持される。ＵＥに専用とされる処理チャネルが興味深い（of interest）場合、専用チャネル周波数追跡ループが使用される。Ｐ−ＣＣＰＣＨ(主要な共通制御用物理チャネル)のような共通チャネルを処理する場合、共通チャネルＦＴＬが使用される。
【００３１】
[0030]２つのタイプのチャネルが、大いに離れている（off）場合、共通および専用チャネルに関する個別（分離した）の周波数オフセット推定を維持しないソリューションは、適切に動作し得ない。例えば、５５０Ｈｚの差で２つのチャネルが離れた時（それは、２ＧＨｚ及び３００Ｋｍｐｈで、ドップラ誘導オフセットに関してなり得る）、少なくとも２つのタイプのチャネルのうち１つは、仮に１つのＦＴＬだけが維持された場合、数百Ｈｚの周波数エラーで復調され得る。
【００３２】
[0031]ブロードキャストチャネル周波数追跡ループは、以下のように履行され得る。粗（coarse）ループは、タイムスロットゼロ（ＴＳ０）ミッドアンブル（一次周波数のみ）を使用するように構成され得る。粗ループは、広い引き込み範囲を有するが、粗末なＲＭＳＥ（二乗平均平方根誤差）な性能を有し得る。引き込み範囲は、ループが修正することができるエラーの範囲を記述する。粗ループは、あまり正確ではないが、周波数の大きな範囲のエラーを修正し得る。微細（fine）ループは、ＴＳ０ミッドアンブルおよびダウンリンクパイロットタイムスロット（ＤｗＰＴＳ）（一次周波数のみ）を使用するように構成され得る。微細ループは、より狭い引き込み範囲を有し得るが、より良いＲＭＳＥの性能を有し得る。したがって、第１のループは、粗ループのように周波数エラーの大きな範囲を修正することができ得ないが、その補正で、より正確になり得る。結合ループは、周波数オフセットを修正し得る。結合ループは、粗ループおよび微細ループを組み合わせることで、粗ループの引き込み範囲及び微細ループのＲＭＳＥの性能を有する。結合ループは、各タイプのループの特性を利用するために、並列に動作し得る、粗ループ及び微細ループの少なくとも１つを利用し得る。共有チャネル周波数追跡ループは、信号対雑音比に依存するループ帯域幅を使用してフィルタされ得る。したがって、ループ帯域幅かループ速度は、信号対雑音比（ＳＮＲ）に適し得る。良好なＳＮＲについては、より速いループが望まれ得る。粗末なＳＮＲについては、より遅いループは、より良いフィルタノイズを望まれ得る。
【００３３】
[0032]専用チャンネル周波数追跡ループは、以下のように履行され得る。粗ループは、ＵＥに割り付けられた専用チャネルで任意の非ＴＳ０ダウンリンク（ＤＬ）スロットのミッドアンブルを使用するように構成され得る。粗ループは、大きな引き込み範囲を有するが、粗末なＲＭＳＥの性能を有し得る。微細ループは、任意の非ＴＳ０ダウンリンクスロット中で、ＵＥに割り付けられたすべての専用コードからのポストイコライゼーション信号（post-equalization signal）および予備の硬判定のデータシンボル（preliminary hard-decision data symbols）を使用するように構成され得る。微細ループは、より小さな引き込み範囲を有するが、良好なＲＭＳＥ性能を有し得る。結合ループは、周波数オフセットを修正するために使用され得る。結合ループは、粗ループおよび微細ループを組み合わせて、粗ループの引き込み範囲及び微細ループのＲＭＳＥ性能を有する。共有チャネル周波数追跡ループに関して上述したように、専用チャンネル周波数追跡ループは、信号対雑音比に依存するループ帯域幅を使用してフィルタされ得る。
【００３４】
[0033]図４は、開示の一観点に従った無線通信方法を示す。ブロック４０２に示されるように、ＵＥは、無線通信システムの少なくとも１つの専用チャンネルを復調することに関して、少なくとも１つの専用チャンネル周波数追跡ループを維持（保持）し得る。チャネルは、ＵＥ専用であり得る。ブロック４０４に示されるように、ＵＥはさらに無線通信システムの共有チャネルを復調することに関する少なくとも１つの共有チャネル周波数追跡ループをも維持し得る。
【００３５】
[0034]図５は、処理システム５１４を採用する装置５００のためのハードウェア履行の例を示す図である。処理システム６１４は、バス５２４により一般的に表されるバスアーキテクチャで履行され得る。バス５２４は、処理システム５１４の特定の用途と全体的な設計の制約に依存して、任意の数の相互接続バスおよびブリッジを含み得る。バス５２４は、プロセッサ５２２、モジュール５０２、及びコンピュータ可読媒体５２６によって表された、１つまたは複数プロセッサおよび／またはハードウェアモジュールを含むさまざまな回路をともにリンクさせる。バス５２４はまた、タイミングソース、周辺機器、電圧レギュレータ、および電力管理回路のような、様々な他の回路をリンクさせ得るが、これらは、当該技術で周知であるため、これ以上説明されることはない。
【００３６】
[0035]装置は、送受信機５３０に結合された処理システム５１４を含む。送受信機５３０は、１つまたは複数のアンテナ５２０に結合される。送受信機５３０は、伝送媒体を介して様々な他の装置と通信を可能にする。処理システム５１４は、コンピュータ可読媒体５２６に結合されたプロセッサ５２２を含む。プロセッサ５２２は、コンピュータ可読媒体５２６に記憶されたソフトウェアの実行を含む、一般的な処理を担っている。ソフトウェアは、プロセッサ５２２によって実行される場合、任意の特定の装置のために説明される様々な機能を処理システム５１４に実行させる。コンピュータ可読媒体５２６はまた、ソフトウェアを実行する際にプロセッサ５２２によって操作されるデータを記憶するためにも使用され得る。
【００３７】
[0036]処理システム５１４は、周波数追跡ループを維持することに関するモジュール５０２を含む。モジュールは、コンピュータ可読媒体５２６内に存在／記憶され、プロセッサ５２２内において実行中のソフトウェアモジュール、プロセッサ５２２に結合された１つまたは複数のハードウェアモジュール、またはそれらのある組み合わせであり得る。処理システム５１４は、ＵＥ３５０の構成要素であり得、メモリ３９２および／またはコントローラ／プロセッサ３９０を含み得る。
【００３８】
[0037]１つの設定で、ＵＥのような装置は、維持する手段を含んだ無線通信のために構成される。一観点において、上記の手段は、前述の手段によって復唱された機能を実行するように構成された処理システム５１４、維持モジュール５０２、周波数ループメンテナンスモジュール３９１、メモリ３９２、および／またはコントローラ／プロセッサ３９０であり得る。別観点において、上述された手段は、上述された手段によって記載された機能を実行するように構成されたモジュールまたは任意の装置であり得る。
【００３９】
[0038]電気通信システムのいくつかの観点は、ＴＤ−ＳＣＤＭＡシステムに関連して示された。当業者は、本開示の全体に渡って説明された様々な態様が、他の電気通信システム、ネットワークアーキテクチャおよび通信規格に拡張され得ることを、明確に理解するだろう。例として、種々の観点は、Ｗ−ＣＤＭＡのような高速ダウンリンクパケットアクセス（ＨＳＤＰＡ）、高速アップリンクパケットアクセス（ＨＳＵＰＡ）、高速パケットアクセスプラス（ＪＳＰＡ＋）およびＴＤ−ＳＣＤＭＡ、のような他のＵＭＴＳシステムまで拡張され得る。様々な観点はまた、ロングタームエボリューション（ＬＴＥ） （ＦＤＤ、ＴＤＤ、または両方のモードにおける）、ＬＴＥ−Ａｄｖａｎｃｅｄ（ＬＴＥ−Ａ）（ＦＤＤ、ＴＤＤ、または両方のモードにおける）、ＣＤＭＡ２０００、Ｅｖｏｌｕｔｉｏｎ−ＤＤａｔａ Ｏｐｔｉｍｉｚｅｄ（ＥＶ−ＤＯ）、Ｕｌｔｒａ Ｍｏｂｉｌｅ Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｕｌｔｒａ−Ｗｉｄｅｂａｎｄ（ＵＷＢ）、Ｂｌｕｅｔｏｏｔｈ（登録商標）および／または他の適切なシステムを用いるシステムに拡張され得る。実際に採用される電気通信規格、ネットワークアーキテクチャ、および／または通信規格は、特定の用途およびシステムに課された全体にわたる設計制約に依存するだろう。
【００４０】
[0039]いくつかのプロセッサは、各種機器と方法に関して記述された。これらのエレメントは、電子ハードウェア、コンピュータソフトウェア、またはこれらの任意の組み合わせを使用して履行されうる。ハードウェアまたはソフトウェアとしてそのようなプロセッサが履行されるかどうかは、システムに課された特定のアプリケーション及び全面的な設計制約に依存する。例として、プロセッサ、プロセッサのあらゆる部分、あるいはこの開示で示されたプロセッサのあらゆる組み合わせは、マイクロプロセッサ、マイクロコントローラ、デジタル信号プロセサ（ＤＳＰ）、フィールドプログラマブルゲートアレイ（ＦＰＧＡ）、プログラム可能論理デバイス（ＰＬＤ）、ステートマシン、ゲートロジック、ディスクリートハードウェア回路、およびこの開示の全体にわたって記述された各種機能を実行するために構成された他の適切な処理コンポーネントで履行され得る。プロセッサの機能性、プロセッサのあらゆる部分、あるいはこの開示で示されたプロセッサのあらゆる組み合わせは、マイクロプロセッサ、マイクロコントローラ、ＤＳＰ、あるいは他の適切なプラットフォームによって実行されるソフトウェアで履行され得る。
【００４１】
[0040]ソフトウェアは、ソフトウェア、ファームウェア、ミドルウェア、マイクロコード、ハードウェア記述言語と称される場合も、それ以外の名称で称される場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるだろう。ソフトウェアは、コンピュータ可読媒体上に存在しうる。コンピュータ可読媒体は、例として、磁気記憶デバイス（例えばハードディスク、フロッピー（登録商標）ディスク、磁気ストリップ）、光ディスク（例えば、コンパクトディスク（ＣＤ）、ディジタルバーサタイルディスク（ＤＶＤ））、スマートカード、フラッシュメモリ素子（例えば、カード、スティック、キードライブ)、ランダムアクセスメモリ（ＲＡＭ）、読み取り専用メモリ（ＲＯＭ）、書き込み可能ＲＯＭ（ＰＲＯＭ）、消去可能なＰＲＯＭ（ＥＰＲＯＭ）、電気的に抹消可能なＰＲＯＭ（ＥＥＰＲＯＭ（登録商標））、レジスタ、あるいはリムーバブルディスク、のようなメモリを含み得る。この開示の全体にわたって示された様々な観点において、メモリは、プロセッサから分離されて示されたが、メモリは、プロセッサ（例えば、キャッシュまたはレジスタ）の内部にあってもよい。
【００４２】
[0041]コンピュータ可読媒体は、コンピュータプログラム製品中で具体化され得る。例として、コンピュータプログラム製品は、パッケージング材料内のコンピュータ可読媒体を含みうる。当業者は、特定のアプリケーションおよび全体のシステムに課された全体の設計制限によって本開示全体を通して示されている説明された機能を履行することがどれ程最良であるかを認識することになる。
【００４３】
[0042]開示された方法におけるステップの特定の順序または階層は、例示的プロセスを例示する図であると理解されるべきである。設計の選好に基づいて、これらの方法におけるステップの指定の順序または階層は並べ替えられうるということが理解されるべきである。付随の方法の請求項は、サンプルの順序で様々なステップのエレメントを提示し、ここに明確に記載されていない限り、提示された特定の順序または階層に限定されるように意図されるものではない。
【００４４】
[0043]前述の説明は、本明細書に説明される様々な態様を実践することを当業者に対して可能にするように提供される。これらの観点への様々な変更は当業者には容易に明らかになり、ここで定義される包括的な本質は他の観点に適用されうる。このように、請求項は、ここに示される態様に限定されるように意図されたものではなく、請求項の文言と一貫する最大範囲であると認められるべきであり、ここにおいて、単数におけるエレメントの参照は、そのように明確に述べられていない限りは「１つおよび１つのみ」を意味するのではなく、むしろ「１つまたは複数」を意味するように意図される。そうでないことが特に述べられていない限り、「いくつか」という用語は、１つまたは複数のことを指している。項目のリストのうちの「少なくとも１つ」に言及するフレーズは、単一の要素を含む、それらの項目のうちの任意の組み合わせに言及するものである。例として、「a、b、またはcのうちの少なくとも１つ」は、a; b; c; aおよびb; aおよびc; bおよびc;およびa、bおよびcをカバーするように意図されている。当業者によって既知のあるいはのちに知られることになる本開示の全体を当業者して説明された様々な態様の要素の等しい本開示の全ての構造上のおよび機能上同等物は、参照によりここに明確に組み込まれ、特許請求の範囲によって組み込まれるように意図されている。さらに、ここで開示されたものはどれも、そのような開示が特許請求の範囲において明示的に記載されているかどうかに関わらず公共に寄与されるようには意図されていない。エレメントが、「〜のための手段（means for）」という表現を使用して明確に記載されていない限り、または、方法請求項の場合、エレメントが、「〜のためのステップ（step for）」という表現を使用して記載されていない限り、どの請求項エレメントも米国特許法第１１２条６項の規定のもとで解釈されるべきではない。以下、願書に添付した出願当初の特許請求の範囲を付記する。  
［付記１］
無線通信システムのうちの少なくとも１つの専用チャネルを復調することに関して、少なくとも１つの専用チャネル周波数追跡ループを維持することと、前記チャネルは、ユーザ装置（ＵＥ）専用である、
前記無線通信システムの共有チャネルを復調することに関して、少なくとも１つの共有チャネル周波数追跡ループを維持すること
を具備する周波数オフセットを低減するための無線通信方法。
［付記２］
信号対雑音比（ＳＮＲ）に依存するループ帯域幅を用いて前記共有チャネル周波数追跡ループ及び／又は前記専用チャネル周波数追跡ループをフィルタすること、を更に具備する付記１の方法。
［付記３］
前記専用チャネル周波数追跡ループは、タイムスロットゼロ（ＴＳ０）以外の少なくとも１つのダウンリンクタイムスロット（ＴＳ）のミッドアンブルフィールドを使用する、付記１の方法。
［付記４］
前記共有チャネル周波数追跡ループは、タイムスロットゼロ（ＴＳ０）のミッドアンブルフィールドを使用する、付記１の方法。
［付記５］
前記専用チャネル周波数追跡ループは、先立ってデータフィールド上のポストイコライゼーション信号を、及び／又は続いてタイムスロットゼロ（ＴＳ０）以外の少なくとも１つのダウンリンクタイムスロット（ＴＳ）のうちのミッドアンブルフィールドを、使用する、付記１の方法。
［付記６］
前記共有チャネル周波数追跡ループは、タイムスロット（ＴＳ０）の後に送信されたダウンリンクパイロットタイムスロット（ＤｗＰＴＳ）を使用する、付記１の方法。
［付記７］
無線通信システムのうちの少なくとも１つの専用チャネルを復調することに関する、少なくとも１つの専用チャネル周波数追跡ループを維持する手段と、前記チャネルは、ユーザ装置（ＵＥ）に専用である、
前記無線通信システムの共有チャネル周波数追跡ループを復調することに関する、少なくとも１つの第２の共有チャネル周波数追跡ループを維持する手段と
を具備する、周波数オフセットを低減させる無線通信に関する装置。
［付記８］
信号対雑音比（ＳＮＲ）に依存するループ帯域幅を用いて前記共有チャネル周波数追跡ループ及び／又は前記専用チャネル周波数追跡ループをフィルタする手段、を更に具備する付記７の装置。
［付記９］
前記専用チャネル周波数追跡ループは、タイムスロットゼロ（ＴＳ０）以外の少なくとも１つのダウンリンクタイムスロット（ＴＳ）のミッドアンブルフィールドを使用する、付記７の装置。
［付記１０］
前記共有チャネル周波数追跡ループは、タイムスロットゼロ（ＴＳ０）のミッドアンブルフィールドを使用する、付記７の装置。
［付記１１］
無線ネットワークにおける無線通信に関するコンピュータプログラム製品あって、
非一時的なプログラムコードをその上に記録した非一時的なコンピュータ読取可能な媒体を備え、前記プログラムコードは、
無線通信システムのうちの少なくとも１つの専用チャネルを復調することに関して、少なくとも１つの専用チャネル周波数追跡ループを維持するためのプログラムコードと、前記チャネルは、ユーザ装置（ＵＥ）専用である、
前記無線通信システムの共有チャネルを復調することに関して、少なくとも１つの第２の共有チャネル周波数追跡ループを維持するためのプログラムコードと
を具備するコンピュータプログラム製品。
［付記１２］
前記プログラムコードは、信号対雑音比（ＳＮＲ）に依存するループ帯域幅を用いて前記共有チャネル周波数追跡ループ及び／又は前記専用チャネル周波数追跡ループをフィルタするためのプログラムコードを、を更に具備する付記１１のコンピュータプログラム製品。
［付記１３］
前記専用チャネル周波数追跡ループは、タイムスロットゼロ（ＴＳ０）以外の少なくとも１つのダウンリンクタイムスロット（ＴＳ）のミッドアンブルフィールドを使用する、付記１１のコンピュータプログラム製品。
［付記１４］
前記共有チャネル周波数追跡ループは、タイムスロットゼロ（ＴＳ０）のミッドアンブルフィールドを使用する、付記１１のコンピュータプログラム製品。
［付記１５］
メモリと、
前記メモリに結合された少なくとも１つのプロセッサと、を具備し、前記少なくとも１つのプロセッサは、
無線通信システムのうちの少なくとも１つの専用チャネルを復調することに関して、少なくとも１つの専用チャネル周波数追跡ループを維持し、前記チャネルは、ユーザ装置（ＵＥ）専用である、
前記無線通信システムの共有チャネルを復調することに関して、少なくとも１つの第２の共有チャネル周波数追跡ループを維持する、ように構成された
無線通信に関する装置。
［付記１６］
前記少なくとも１つのプロセッサは、
信号対雑音比（ＳＮＲ）に依存するループ帯域幅を用いて前記共有チャネル周波数追跡ループ及び／又は前記専用チャネル周波数追跡ループをフィルタするように更に構成される、付記１５の装置。
［付記１７］
前記専用チャネル周波数追跡ループは、タイムスロットゼロ（ＴＳ０）以外の少なくとも１つのダウンリンクタイムスロット（ＴＳ）のミッドアンブルフィールドを使用する、付記１５の装置。
［付記１８］
前記共有チャネル周波数追跡ループは、タイムスロットゼロ（ＴＳ０）のミッドアンブルフィールドを使用する、付記１５の装置。
［付記１９］
前記専用チャネル周波数追跡ループは、先立ってデータフィールド上のポストイコライゼーション信号を、及び／又は、続いてタイムスロットゼロ（ＴＳ０）以外の少なくとも１つのダウンリンクタイムスロット（ＴＳ）のうちのミッドアンブルフィールドを、使用する付記１５の装置。
［付記２０］
前記共有チャネル周波数追跡ループは、タイムスロット（ＴＳ０）の後に送信されたダウンリンクパイロットタイムスロット（ＤｗＰＴＳ）を使用する、付記１５の装置。
【図１】
0006022695.tif 000002
【図２】
0006022695.tif 000003
【図３】
0006022695.tif 000004
【図４】
0006022695.tif 000005
【図５】
0006022695.tif 000006